(57)【要約】 【課題】医療施設での内臓脂肪計測診断における利便性を向上させる。【解決手段】ＰＡＣＳ３０の制御部３１は、内臓脂肪計測対象判定プログラム３５２と協働して、記憶部３５に記憶されているＤＩＣＯＭ画像データに含まれる付帯情報に基づいて、内臓脂肪計測対象判定テーブル３５３を更新する。制御部３１は、この内臓脂肪計測対象判定テーブル３５３を参照して、記憶部３５に記憶されているＤＩＣＯＭ画像データが内臓脂肪計測の対象となるか否かを判定する。制御部３１は、内臓脂肪計測の対象となると判定したＤＩＣＯＭ画像データを、通信部３４を介して、内臓脂肪計測装置に送信する。【選択図】図３
2011067390.tif 000002
【特許請求の範囲】
【請求項１】
医用画像と当該医用画像に付帯する付帯情報とを取得し、前記付帯情報に基づいて前記医用画像が内臓脂肪計測の対象となるか否かを判定し、内臓脂肪計測の対象となる医用画像を出力する制御手段、
を備える情報処理装置。
【請求項２】
前記取得した医用画像と付帯情報とを記憶する記憶手段を更に備え、
前記制御手段は、前記記憶手段により記憶されてから所定時間経過している医用画像を抽出し、当該抽出した医用画像に対して、内臓脂肪計測の対象となるか否かを判定する、
請求項１に記載の情報処理装置。
【請求項３】
医用画像に対して内臓脂肪計測処理を行う内臓脂肪計測装置に医用画像を送信する送信手段を更に備え、
前記制御手段は、前記送信手段を制御して、内臓脂肪計測の対象となる医用画像を前記内臓脂肪計測装置に送信させる、
請求項１又は２に記載の情報処理装置。
【請求項４】
医用画像に対して内臓脂肪計測処理を行う内臓脂肪計測手段を更に備え、
前記制御手段は、内臓脂肪計測の対象となる医用画像を前記内臓脂肪計測手段に出力する、
請求項１又は２に記載の情報処理装置。
【請求項５】
前記制御手段は、前記付帯情報に基づいて、前記医用画像の中から、同一シリーズの医用画像が他に無い医用画像を抽出し、当該医用画像を内臓脂肪計測の対象とする、
請求項１〜４の何れか一項に記載の情報処理装置。
【請求項６】
前記制御手段は、前記付帯情報に基づいて、前記医用画像の中から、撮影部位が腹部である医用画像を抽出し、当該医用画像を内臓脂肪計測の対象とする、
請求項１〜５の何れか一項に記載の情報処理装置。
【請求項７】
前記制御手段は、前記付帯情報に基づいて、前記医用画像の中から、ＣＴ装置によって撮影された医用画像を抽出し、当該医用画像を内臓脂肪計測の対象とする、
請求項１〜６の何れか一項に記載の情報処理装置。
【請求項８】
前記制御手段は、前記付帯情報に基づいて、前記医用画像の中から、モダリティＬＵＴ及び画素間隔情報を有している医用画像を抽出し、当該医用画像を内臓脂肪計測の対象とする、
請求項１〜７の何れか一項に記載の情報処理装置。
【請求項９】
コンピュータを、
医用画像と当該医用画像に付帯する付帯情報とを取得し、前記付帯情報に基づいて前記医用画像が内臓脂肪計測の対象となるか否かを判定し、内臓脂肪計測の対象となる医用画像を出力する制御手段、
として機能させるためのプログラム。
【発明の詳細な説明】
【技術分野】
【０００１】
本発明は、情報処理装置及びプログラムに関する。
【背景技術】
【０００２】
近年、メタボリックシンドロームへの関心の高まりから、内臓脂肪の計測が注目されている。例えば、家庭用の内臓脂肪計測装置として、インピータンスを計測して内臓脂肪率を算出する装置が知られている。また、病院や診療所等の医療施設においては、ＣＴ装置において撮影された断層画像（医用画像）を用いて、内臓脂肪率の計測が行われている（特許文献１参照）。
【０００３】
一般的に、医療施設で内臓脂肪率の計測を行う場合、患者の被ばくを考慮し、ＣＴ装置において医用画像を１枚のみ撮影する。一方、内臓脂肪率の計測を目的としない場合、ＣＴ装置は、通常、複数枚の医用画像を撮影する。
【先行技術文献】
【特許文献】
【０００４】
【特許文献１】特開２００２−２２２４１０号公報
【発明の概要】
【発明が解決しようとする課題】
【０００５】
ところで、医療施設での内臓脂肪計測診断では、医用画像の撮影後、その日のうちに、患者に計測結果の説明を行う場合が多い。そのため、スピーディーなワークフローが求められている。
【０００６】
しかし、医療施設において、内臓脂肪率の計測対象の医用画像と、それ以外の医用画像とが混在して管理されている場合、医師は、手動で内臓脂肪率の計測対象の医用画像を抽出する必要があり、不便であった。
【０００７】
本発明は、上述したような課題に鑑みて為されたものであり、その目的とするところは、医療施設での内臓脂肪計測診断における利便性を向上させることである。
【課題を解決するための手段】
【０００８】
上記の課題を解決するために、請求項１に記載の情報処理装置は、
医用画像と当該医用画像に付帯する付帯情報とを取得し、前記付帯情報に基づいて前記医用画像が内臓脂肪計測の対象となるか否かを判定し、内臓脂肪計測の対象となる医用画像を出力する制御手段、
を備える。
【０００９】
請求項２に記載の発明は、請求項１に記載の発明において、
前記取得した医用画像と付帯情報とを記憶する記憶手段を更に備え、
前記制御手段は、前記記憶手段により記憶されてから所定時間経過している医用画像を抽出し、当該抽出した医用画像に対して、内臓脂肪計測の対象となるか否かを判定する。
【００１０】
請求項３に記載の発明は、請求項１又は２に記載の発明において、
医用画像に対して内臓脂肪計測処理を行う内臓脂肪計測装置に医用画像を送信する送信手段を更に備え、
前記制御手段は、前記送信手段を制御して、内臓脂肪計測の対象となる医用画像を前記内臓脂肪計測装置に送信させる。
【００１１】
請求項４に記載の発明は、請求項１又は２に記載の発明において、
医用画像に対して内臓脂肪計測処理を行う内臓脂肪計測手段を更に備え、
前記制御手段は、内臓脂肪計測の対象となる医用画像を前記内臓脂肪計測手段に出力する。
【００１２】
請求項５に記載の発明は、請求項１〜４の何れか一項に記載の発明において、
前記制御手段は、前記付帯情報に基づいて、前記医用画像の中から、同一シリーズの医用画像が他に無い医用画像を抽出し、当該医用画像を内臓脂肪計測の対象とする。
【００１３】
請求項６に記載の発明は、請求項１〜５の何れか一項に記載の発明において、
前記制御手段は、前記付帯情報に基づいて、前記医用画像の中から、撮影部位が腹部である医用画像を抽出し、当該医用画像を内臓脂肪計測の対象とする。
【００１４】
請求項７に記載の発明は、請求項１〜６の何れか一項に記載の発明において、
前記制御手段は、前記付帯情報に基づいて、前記医用画像の中から、ＣＴ装置によって撮影された医用画像を抽出し、当該医用画像を内臓脂肪計測の対象とする。
【００１５】
請求項８に記載の発明は、請求項１〜７の何れか一項に記載の発明において、
前記制御手段は、前記付帯情報に基づいて、前記医用画像の中から、モダリティＬＵＴ及び画素間隔情報を有している医用画像を抽出し、当該医用画像を内臓脂肪計測の対象とする。
【００１６】
請求項９に記載のプログラムは、
コンピュータを、
医用画像と当該医用画像に付帯する付帯情報とを取得し、前記付帯情報に基づいて前記医用画像が内臓脂肪計測の対象となるか否かを判定し、内臓脂肪計測の対象となる医用画像を出力する制御手段、
として機能させる。
【発明の効果】
【００１７】
請求項１、９に記載の発明によれば、制御手段は、医用画像と当該医用画像に付帯する付帯情報とを取得し、前記付帯情報に基づいて前記医用画像が内臓脂肪計測の対象となるか否かを判定し、内臓脂肪計測の対象となる医用画像を出力する。
【００１８】
そのため、ユーザが内臓脂肪計測の対象となる医用画像の選択操作を行う必要が無く、医療施設での内臓脂肪計測診断における利便性を向上させることができる。
【００１９】
請求項２に記載の発明によれば、情報処理装置は医用画像と付帯情報とを記憶する記憶手段を備え、情報処理装置の制御手段は、前記記憶手段により記憶されてから所定時間経過している医用画像を抽出し、当該抽出した医用画像に対して、内臓脂肪計測の対象となるか否かを判定する。
【００２０】
そのため、この情報処理装置を、医用画像を保存管理する装置（例えば、ＰＡＣＳ）に適用することができる。
【００２１】
請求項３に記載の発明によれば、内臓脂肪計測処理を行う装置が、この情報処理装置とは別の装置としてシステムを構築することができる。
【００２２】
請求項４に記載の発明によれば、医療施設での内臓脂肪計測診断における利便性を更に向上させることができる。
【００２３】
請求項５〜８に記載の発明によれば、内臓脂肪計測対象の医用画像がより正確に抽出される。
【図面の簡単な説明】
【００２４】
【図１】医用画像システムのシステム構成図である。
【図２】ＤＩＣＯＭ画像データのデータ構成図である。
【図３】ＰＡＣＳのブロック図である。
【図４】ＤＩＣＯＭ画像データ管理ＤＢにおける管理テーブルの関連図である。
【図５】内臓脂肪計測対象判定テーブルのデータ構成図である。
【図６】内臓脂肪計測対象判定処理のフローチャートである。
【図７】内臓脂肪計測対象判定処理の具体例である。
【図８】ＰＡＣＳのブロック図である。
【発明を実施するための形態】
【００２５】
以下、本発明の情報処理装置を図１のＰＡＣＳ３０に適用した場合の実施形態について図１〜図６を参照して説明する。
【００２６】
[医用画像システムのシステム構成]
先ず、ＰＡＣＳ３０を有する医用画像システム１００の概要について図１を用いて説明する。
【００２７】
図１は、医用画像システム１００のシステム構成の一例を示すブロック図である。図１によれば、医用画像システム１００は、ＲＩＳ１０と、モダリティ２０と、ＰＡＣＳ３０と、内臓脂肪計測装置４０と、から構成されている。上記の各装置はＬＡＮ（Local Area Network）等の通信ネットワークＮを介してデータ通信可能に接続されている。
【００２８】
ＲＩＳ１０は、放射線科部門内における診療予約、診断結果のレポート、実績管理、材料在庫管理等の情報管理を行う。ＲＩＳ１０は、図示しない電子カルテシステム等において生成された撮影オーダ情報をモダリティ２０に送信する。
【００２９】
モダリティ２０は、ＲＩＳ１０から受信した撮影オーダ情報に従って、患者を撮影し、医用画像の画像データ（医用画像データ）を生成する撮影装置である。また、モダリティ２０は、前記撮影オーダ情報に基づいて、前記画像データに関する付帯情報を生成する。そして、モダリティ２０は、前記画像データ（以下、実画像データと称す。）に当該付帯情報を付帯させて、ＤＩＣＯＭ規格に則ったＤＩＣＯＭ画像データを生成し、ＰＡＣＳ３０に送信する。モダリティ２０としては、主に、ＣＴ装置が適用可能である。ここで、ＤＩＣＯＭとは、医用画像の通信及び保存フォーマットに関する標準規格であり、この規格に準拠することで、異なる医療機器間での相互通信性が確保される。
【００３０】
図２に、モダリティ２０が生成するＤＩＣＯＭ画像データのデータ構成図を示す。前述したように、ＤＩＣＯＭ画像データは、付帯情報と実画像データとから構成される。また、付帯情報は、患者情報、検査情報、シリーズ情報及び画像識別情報を含む。
【００３１】
患者情報は、患者ＩＤ、患者氏名、性別、生年月日、住所、職業等の患者に関する情報である。検査情報は、検査を識別する検査ＩＤ、検査名、検査日時、受付番号、検査目的、検査内容等の検査に関する情報である。シリーズ情報は、シリーズ番号、モダリティ名、手技、撮影部位、撮影方向、撮影技師名等の、一つの検査の中で生成されるモダリティ毎の一連の医用画像の単位（シリーズ）に関する情報である。画像識別情報は、画像を識別するＳＯＰインスタンスＵＩＤ、画像番号、画像サイズ等の医用画像に関する情報である。
【００３２】
図１に戻り、ＰＡＣＳ３０は、モダリティ２０において生成されたＤＩＣＯＭ画像データを保存管理し、検索やデータ解析を行うデータベースシステムである。ＰＡＣＳ３０は、モダリティ２０から受信したＤＩＣＯＭ画像データに含まれる付帯情報に基づいて当該ＤＩＣＯＭ画像データを、例えば、リレーショナルデータベースに蓄積記憶していく。そして、ＰＡＣＳ３０は、読影医等の操作指示に応じて指定された患者ＩＤや検査ＩＤ等を検索キーとしてＤＩＣＯＭ画像データを検索し、画像ビューワやイメージャに出力する。ＰＡＣＳ３０は、患者ＩＤや検査ＩＤ等の検索キーを含むＤＩＣＯＭ画像データ取得要求を外部機器から受信すると、この取得要求に応じたＤＩＣＯＭ画像データを検索して外部機器に提供（送信）する。
【００３３】
また、ＰＡＣＳ３０は、保存管理しているＤＩＣＯＭ画像データの付帯情報等に基づいて、このＤＩＣＯＭ画像データが内臓脂肪計測の対象となるか否かを判定し、内臓脂肪計測の対象となるＤＩＣＯＭ画像データを内臓脂肪計測装置４０に送信する。
【００３４】
内臓脂肪計測装置４０は、ＰＡＣＳ３０から送信されたＤＩＣＯＭ画像データの実画像データに対して、内臓脂肪計測処理を行う装置である。内臓脂肪計測装置４０は、内臓脂肪計測処理の処理結果をＰＡＣＳ３０に送信する。ＰＡＣＳ３０は、この処理結果（処理結果情報）を保存し管理する。
【００３５】
ここで、内臓脂肪計測装置４０が行う内臓脂肪計測処理について概要を説明する。まず。内臓脂肪計測装置４０は、ユーザ操作等に基づいて、医用画像（断層画像）における体表全体を囲む第１関心領域（ＲＯＩ）を設定する。次に、内臓脂肪計測装置４０は、皮下脂肪層の内側の腹壁筋層に第２関心領域（ＲＯＩ）を設定する。次に、内臓脂肪計測装置４０は、第１関心領域から脂肪画素数を算出する。同様に、内臓脂肪計測装置４０は、第２関心領域から脂肪画素数を算出する。そして、内臓脂肪計測装置４０は、算出したそれぞれの脂肪画素数に基づいて、内臓脂肪計測の処理結果情報（例えば、内臓脂肪率等）を算出する。以上が内臓脂肪計測処理である。
【００３６】
[ＰＡＣＳの機能的構成]
図３に、ＰＡＣＳ３０の機能的構成を示す。
【００３７】
図３に示すように、ＰＡＣＳ３０は、制御部３１、操作部３２、表示部３３、通信部３４、記憶部３５を備えて構成され、各部はバス３６により接続されている。
【００３８】
制御部３１は、ＣＰＵ（Central Processing Unit）、ＲＡＭ（Random Access Memory）等から構成され、ＰＡＣＳ３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００３９】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００４０】
表示部３３は、ＬＣＤ（Liquid Crystal Display）により構成され、制御部３１から入力される表示データに基づいて各種画面を表示する。
【００４１】
通信部３４は、ＬＡＮ（Local Area Network）アダプタ、ルータ、ＴＡ（Terminal Adapter）等を備え、通信ネットワークＮを介して接続されたモダリティ２０や内臓脂肪計測装置４０等の外部機器との間でデータの送受信を行う。
【００４２】
記憶部３５は、ハードディスク等から構成され、制御プログラム、当該プログラムの実行に必要なパラメータやファイル等を記憶している。また、記憶部３５は、モダリティ２０により生成されたＤＩＣＯＭ画像データを記憶する。
【００４３】
また、記憶部３５は、ＤＩＣＯＭ画像データを管理するためのデータベースプログラムであるＤＩＣＯＭ画像データ管理ＤＢ３５１を記憶する。ＤＩＣＯＭ画像データ管理ＤＢ３５１と制御部３１との協働により、記憶部３５に記憶されているＤＩＣＯＭ画像データを管理する。
【００４４】
図４に、ＤＩＣＯＭ画像データ管理ＤＢ３５１における管理テーブルの関連図を示す。
【００４５】
図４に示すように、ＤＩＣＯＭ画像データ管理ＤＢ３５１は、患者情報テーブルＴ１、検査情報テーブルＴ２、シリーズ情報テーブルＴ３、画像識別情報テーブルＴ４等の管理テーブルから構成される。
【００４６】
患者情報テーブルＴ１は、管理対象となるＤＩＣＯＭ画像データの付帯情報に含まれる患者情報を管理する管理テーブルである。患者情報テーブルＴ１は、「患者ＩＤ」「患者氏名」「性別」「生年月日」「住所」「職業」等の項目から成る１又は複数のレコードから構成される。
【００４７】
検査情報テーブルＴ２は、管理対象となるＤＩＣＯＭ画像データの付帯情報に含まれる検査情報を管理する管理テーブルである。検査情報テーブルＴ２は、「検査ＩＤ」「検査名」「検査日時」「受付番号」「検査目的」「検査内容」等の項目から成る１又は複数のレコードから構成される。
【００４８】
シリーズ情報テーブルＴ３は、管理対象となるＤＩＣＯＭ画像データの付帯情報に含まれるシリーズ情報を管理する管理テーブルである。シリーズ情報テーブルＴ３は、「シリーズ番号」「モダリティ名」「手技」「撮影部位」「撮影方向」「撮影技師名」等の項目から成る１又は複数のレコードから構成される。
【００４９】
画像識別情報テーブルＴ４は、管理対象となるＤＩＣＯＭ画像データの付帯情報に含まれる画像識別情報を管理する管理テーブルである。画像識別情報テーブルＴ４は、「ＳＯＰインスタンスＵＩＤ」「画像番号」「画像サイズ」等の項目から成る１又は複数のレコードから構成される。
【００５０】
これらの管理テーブルは、ＤＩＣＯＭ画像データ管理ＤＢ３５１内で管理されるローカルＩＤ（ＬＩＤ）により関連付けられる。具体的に、患者情報テーブルＴ１の１レコードに対して、検査情報テーブルＴ２の１又は複数のレコードが関連付けられる。検査情報テーブルＴ２の１レコードに対して、シリーズ情報テーブルＴ３の１又は複数のレコードが関連付けられる。シリーズ情報テーブルＴ３の１レコードに対して、画像識別情報テーブルＴ４の１又は複数のレコードが関連付けられる。
【００５１】
図３に戻り、記憶部３５は、内臓脂肪計測対象判定プログラム３５２を記憶する。内臓脂肪計測対象判定プログラム３５２と制御部３１との協働により、内臓脂肪計測対象判定処理を行う。ここで、内臓脂肪計測対象判定処理とは、記憶部３５に記憶されているＤＩＣＯＭ画像データの付帯情報等に基づいて、このＤＩＣＯＭ画像データが内臓脂肪計測の対象となるか否かを判定し、内臓脂肪計測の対象となるＤＩＣＯＭ画像データを出力する処理である。
【００５２】
また、記憶部３５は、内臓脂肪計測対象判定テーブル３５３を記憶する。内臓脂肪計測対象判定テーブル３５３は、内臓脂肪計測対象判定処理において、生成、更新及び参照される。
【００５３】
図５に、内臓脂肪計測対象判定テーブル３５３のデータ構成を示す。内臓脂肪計測対象判定テーブル３５３は、「シリーズＬＩＤ」「検査ＬＩＤ」「モダリティ」「部位」「受信時間」「内臓脂肪処理済フラグ」等の項目から成る１又は複数のレコードから構成される。ここで、１レコードは、１シリーズに対応する。
【００５４】
項目「シリーズＬＩＤ」は、ＤＩＣＯＭ画像データ管理ＤＢ３５１のシリーズ情報テーブルＴ３のレコードに対応するローカルＩＤである。項目「検査ＬＩＤ」は、検査情報テーブルＴ２のレコードに対応するローカルＩＤである。項目「モダリティ」「部位」はシリーズ情報テーブルＴ２の項目「モダリティ名」「撮影部位」に対応する。
【００５５】
また、項目「受信時間」は、ＰＡＣＳ３０が対応するシリーズのＤＩＣＯＭ画像データをモダリティ２０から受信し始めた時刻である。
【００５６】
項目「内臓脂肪処理済フラグ」は、対応するシリーズのＤＩＣＯＭ画像データが、内臓脂肪計測対象となるか否かを示すフラグである。制御部３１は、内臓脂肪計測対象判定処理において、このフラグを更新する。ここで、内臓脂肪処理済フラグの値「１」は「ＯＮ」に該当し、対応するシリーズが内臓脂肪計測処理済であることを意味する。一方、内臓脂肪処理済フラグの値「０」は「ＯＦＦ」に該当し、対応するシリーズが内臓脂肪計測処理未実施であることを意味する。
【００５７】
ＰＡＣＳ３０の制御部３１は、モダリティ２０からＤＩＣＯＭ画像データを受信すると、このＤＩＣＯＭ画像データを記憶部３５に記憶させ、ＤＩＣＯＭ画像データ管理ＤＢ３５１の各テーブルを更新する。
【００５８】
そして、制御部３１は、ＤＩＣＯＭ画像データＤＢ３５１を参照して、内臓脂肪計測対象判定テーブル３５３に対応するレコードを追加する。ここで、制御部３１は、同シリーズのＤＩＣＯＭ画像データを受信し始めた時刻を、追加するレコードの項目「受信時間」の値とする。また、制御部３１は、追加するレコードの項目「内臓脂肪処理済フラグ」の値をＯＦＦに設定する。
【００５９】
[内臓脂肪計測対象判定処理]
次に、ＰＡＣＳ３０の制御部３１が、内臓脂肪計測対象判定プログラム３５２と協働して行う内蔵脂肪計測対象判定処理について、図６を用いて説明する。
【００６０】
まず、制御部３１は、タイマー計測を開始する（ステップＳ１）。制御部３１は、タイマー計測で、一定時間（例えば５分）が経過した場合（ステップＳ２；ＹＥＳ）、内臓脂肪計測対象判定テーブル３５３を読み出す（ステップＳ３）。
【００６１】
そして、制御部３１は、読み出した内臓脂肪計測対象判定テーブル３５３を構成するレコードのうち、項目「内臓脂肪処理済フラグ」が「ＯＦＦ」であるレコードを抽出する（ステップＳ４）。
【００６２】
ステップＳ４において、該当するレコードが無い場合（ステップＳ５；ＹＥＳ）、制御部３１は、内臓脂肪計測対象判定処理を終了する。そして、制御部３１は、タイマーをリセットし、再びタイマー計測を開始する（ステップＳ１）。
【００６３】
一方、ステップＳ４において、該当するレコードが有る場合（ステップＳ５；ＮＯ）、制御部３１は、抽出したレコードの項目「受信時間」を参照し、モダリティ２０からのＤＩＣＯＭ画像データを受信後、一定時間が経過しているシリーズに対応するレコードを更に抽出する（ステップＳ６）。
【００６４】
ステップＳ６において、該当するレコードが無い場合（ステップＳ７；ＹＥＳ）、制御部３１は、ステップＳ４において、抽出したレコードの項目「内臓脂肪処理フラグ」の値を「ＯＦＦ」から「ＯＮ」に変更する（ステップＳ１１）。そして、制御部３１は、内臓脂肪計測対象判定処理を終了する。そして、制御部３１は、タイマーをリセットし、再びタイマー計測を開始する（ステップＳ１）
【００６５】
一方、ステップＳ６において、該当するレコードが有る場合（ステップＳ７；ＮＯ）、制御部３１は、抽出したレコードが内臓脂肪計測処理対象か否かを判定する（ステップＳ８）。
【００６６】
具体的に、制御部３１は、抽出したレコードのうち、項目「モダリティ」が「ＣＴ」であり、項目「部位」が「ＡＢＤＯＭＥＮ（腹部）」であり、該当するシリーズの画像数が１画像であり、且つ該当するレコードのＤＩＣＯＭ画像データがモダリティＬＵＴ及び画素間隔の情報を有しているレコードを内臓脂肪計測処理対象であると判定する。なお、この判定は、上述の条件に限定されない。制御部３１は、様々な条件を設定可能である。
【００６７】
ステップＳ８において、内臓脂肪計測処理対象となるレコードが無い場合（ステップＳ９；ＮＯ）、制御部３１は、ステップＳ４において、抽出したレコードの項目「内臓脂肪処理フラグ」の値を「ＯＦＦ」から「ＯＮ」に変更する（ステップＳ１１）。そして、制御部３１は、内臓脂肪計測対象判定処理を終了する。そして、制御部３１は、タイマーをリセットし、再びタイマー計測を開始する（ステップＳ１）
【００６８】
一方、ステップＳ８において、内臓脂肪計測処理対象となるレコードが有る場合（ステップＳ９；ＹＥＳ）、制御部３１は、処理対象となるレコードに該当するＤＩＣＯＭ画像データを内臓脂肪計測装置４０に通信部３４を介して送信する（ステップＳ１０）。
【００６９】
そして、制御部３１は、ステップＳ４において、抽出したレコードの項目「内臓脂肪処理フラグ」の値を「ＯＦＦ」から「ＯＮ」に変更する（ステップＳ１１）。そして、制御部３１は、内臓脂肪計測対象判定処理を終了する。そして、制御部３１は、タイマーをリセットし、再びタイマー計測を開始する（ステップＳ１）。
【００７０】
[内臓脂肪計測対象判定処理の具体例]
次に、図７を用いて内臓脂肪計測対象判定処理の具体例について説明する。本説明において、内臓脂肪計測対象判定テーブル３５３のレコードの項目の値が変化していくが、それぞれ、内臓脂肪計測対象判定テーブル３５３ａ、３５３ｂ、３５３ｃとする。
【００７１】
まず、制御部３１は、内臓脂肪計測対象判定テーブル３５３を読み出す。制御部３１は、各レコードの項目「内臓脂肪処理済フラグ」を参照し、値が「０（ＯＦＦ）」となっているレコードを抽出する（図６のステップＳ４に対応）。即ち、制御部３１は、シリーズＬＩＤが「２」「３」「４」「５」のレコードを抽出する（内臓脂肪計測対象判定テーブル３５３ａ参照）。
【００７２】
次に、制御部３１は、抽出した各レコードの項目「受信時間」と現在時刻を参照し、一定時間が経過しているレコードを更に抽出する（図６のステップＳ６に対応）。現在時刻を「12:25:00」とし、一定時間を「00:05:00」とすると、制御部３１は、シリーズＬＩＤが「２」「３」「４」のレコードを抽出する（内臓脂肪計測対象判定テーブル３５３ｂ参照）。
【００７３】
次に、制御部３１は、更に抽出した各レコードの項目「モダリティ」が「ＣＴ」であり、項目「部位」が「ＡＢＤＯＭＥＮ（腹部）」であり、該当するシリーズの画像数が１画像であり、且つ該当するレコードのＤＩＣＯＭ画像データがモダリティＬＵＴ及び画素間隔の情報を有しているレコードを抽出する（図６のステップＳ８に対応）。即ち、制御部３１は、シリーズＬＩＤが「４」のレコードを抽出する（内臓脂肪計測対象判定テーブル３５３ｃ参照）。そして、制御部３１は、シリーズＬＩＤが「２」「３」のレコードの項目「内臓脂肪処理済フラグ」の値を「１（ＯＮ）」に変更する（図６のステップＳ１１に対応）。
【００７４】
そして、制御部３１は、シリーズＬＩＤ「４」に関連付けられているＤＩＣＯＭ画像データを、記憶部３５から読み出し、内臓脂肪計測対象として、通信部３４を介して内臓脂肪計測装置４０に送信する。
【００７５】
以上、本実施形態によれば、ＰＡＣＳ３０の制御部３１は、内臓脂肪計測対象判定プログラム３５２と協働して、記憶部３５に記憶されているＤＩＣＯＭ画像データに含まれる付帯情報に基づいて、内臓脂肪計測対象判定テーブル３５３を更新する。制御部３１は、この内臓脂肪計測対象判定テーブル３５３を参照して、記憶部３５に記憶されているＤＩＣＯＭ画像データが内臓脂肪計測の対象となるか否かを判定する。制御部３１は、内臓脂肪計測の対象となると判定したＤＩＣＯＭ画像データを、通信部３４を介して、内臓脂肪計測装置４０に送信する。
【００７６】
そのため、ユーザが内臓脂肪計測の対象となる医用画像の選択操作を行う必要が無く、医療施設での内臓脂肪計測診断における利便性を向上させることができる。
【００７７】
尚、本実施形態における記述は、本発明に係る情報処理装置の一例であり、これに限定されるものではない。システム及び各装置の細部構成及び細部動作に関しても適宜変更可能である。
【００７８】
例えば、ＰＡＣＳ３０に内臓脂肪計測装置４０の機能を組み込んでもよい。具体的に、図８に示すように、ＰＡＣＳ３０の記憶部３５は新たに内臓脂肪計測プログラム３５４を記憶する。ＰＡＣＳ３０の制御部３１は、内臓脂肪計測プログラム３５４と協働して、内臓脂肪計測処理対象としたＤＩＣＯＭ画像データに対して、内臓脂肪計測処理を行う。そして、制御部３１は、処理結果を記憶部３５に記憶させる。
【００７９】
また、本実施形態では、プログラムを格納したコンピュータ読み取り可能な媒体としてハードディスクを使用した例を開示したが、この例に限定されない。その他のコンピュータ読み取り可能な媒体として、ＣＤ−ＲＯＭ等の可搬型記憶媒体、フラッシュメモリ等の不揮発性メモリ等を適用することが可能である。また、プログラムのデータを通信回線を介して提供する媒体として、キャリアウェーブ（搬送波）も適用可能である。
【符号の説明】
【００８０】
１０      ＲＩＳ
２０      モダリティ
３０      ＰＡＣＳ
３１      制御部
３２      操作部
３３      表示部
３４      通信部
３５      記憶部
３６      バス
４０      内臓脂肪計測装置
１００    医用画像システム
３５１    ＤＩＣＯＭ画像データ管理ＤＢ
３５２    内臓脂肪計測対象判定プログラム
３５３    内臓脂肪計測対象判定テーブル
３５４    内臓脂肪計測プログラム
Ｎ        通信ネットワーク
【図１】
2011067390.tif 000003
【図２】
2011067390.tif 000004
【図３】
2011067390.tif 000005
【図４】
2011067390.tif 000006
【図５】
2011067390.tif 000007
【図６】
2011067390.tif 000008
【図７】
2011067390.tif 000009
【図８】
2011067390.tif 000010